(57)【要約】【課題】洗濯ものを干す作業および取り込む作業において屋外における作業時間を従来の方法と比べ短縮することを可能とする手段を提供する。【解決手段】物干し器具１は、物干し棒１１と、引っ掛け具１２とを備える。物干し棒１１は、第１の筒１１１と、第２の筒１１２と、付勢機構１１３とを有する。物干し棒１１は、付勢機構１１３を機能させることにより、ユーザによる所定の操作に応じて、物干し棒１１の長手方向外向きに付勢され物干し棒１１の２つの端部が互いに対向する２つの壁面Ｗの各々を押圧することにより、２つの壁面Ｗに対し固定された第１の状態と、当該付勢が解除された第２の状態との間を移行させることができる。ユーザは第１の状態の物干し棒１１に対し室内で洗濯ものを引っ掛けた後、物干し棒１１を第２の状態にして壁面Ｗから取り外し、そのまま屋外へ運び出してベランダ等にセットする。【選択図】図１
2012115282.tif 000002
【特許請求の範囲】
【請求項１】
直線パイプ状の第１の筒と、少なくとも一部分が前記第１の筒の中に収納されておりユーザの前記第１の筒に対する引き出し操作もしくは押し込み操作に応じて前記第１の筒に収納される部分の長手方向の長さが変わることにより前記第１の筒に対して長手方向に伸縮自在である直線パイプ状の第２の筒とを備え、
（ａ）前記第１の筒の長手方向に垂直な方向に前記第１の筒の少なくとも１の側壁を貫通するように設けられ、前記第１の筒の長手方向に平行な直線上に設けられた複数の孔、（ｂ）前記第２の筒の長手方向に垂直な方向に前記第２の筒の少なくとも１の側壁を貫通するように設けられ、前記第２の筒の長手方向に平行な直線上に設けられた複数の孔、（ｃ）前記第１の筒の外側面の円周方向に設けられ前記第１の筒の長手方向に関し所定の間隔で設けられた２つの突起からなる突起対であって、前記第１の筒の長手方向に関し互いに間隔を開けて設けられた複数の突起対、（ｄ）前記第２の筒の外側面の円周方向に設けられた溝であって、前記第２の筒の長手方向に関し互いに間隔を開けて設けられた複数の溝、のうち少なくともいずれかを有する
物干し棒。
【請求項２】
請求項１に記載の物干し棒と、
前記物干し棒とは異なる他の物干し棒を挟持するための挟持部と前記物干し棒を引っ掛けるための引っ掛け部とを有する引っ掛け具であって、前記挟持部が前記他の物干し棒を挟持した状態における前記引っ掛け具の前記引っ掛け部に前記物干し棒を引っ掛けることにより前記他の物干し棒に対し前記物干し棒を引っ掛けることを可能とする引っ掛け具と
を備える
物干し器具。
【請求項３】
前記物干し棒は、ユーザによる所定の操作に応じて、前記物干し棒の長手方向外向きに付勢され前記物干し棒の２つの端部が互いに対向する２つの壁面の各々を押圧することにより前記２つの壁面に対し固定された第１の状態と、前記付勢が解除された第２の状態との間を移行させることができる付勢機構を有する
請求項２に記載の物干し器具。
【請求項４】
前記付勢機構は、前記物干し棒の一方の端部に配置され前記２つの壁面の一方に押圧される押圧部と、前記押圧部を前記物干し棒の長手方向外向きに付勢するバネと、ユーザによる前記物干し棒の長手方向の軸を中心とした前記第１の筒に対する前記第２の筒を捩じる操作に応じて前記物干し棒の長手方向の長さが伸縮するように前記第１の筒の内側面上および前記第２の筒の外側面上に各々設けられ互いに係合する１対のネジ山とを有する
請求項３に記載の物干し器具。
【請求項５】
第１の支持棒と、前記第１の支持棒を前記第１の支持棒の長手方向が床面に対し垂直上方向となる状態で支持する第１の支持脚とを有する第１の支持ユニットと、
第２の支持棒と、前記第２の支持棒を前記第２の支持棒の長手方向が床面に対し垂直上方向となる状態で支持する第２の支持脚とを有する第２の支持ユニットと、
前記第１の支持ユニットと前記第２の支持ユニットとを連結するとともに前記第１の支持ユニットと前記第２の支持ユニットとの間隔を所定の間隔に保つ棒状体である連結棒と
を備え、
前記第１の支持棒と前記第２の支持棒は前記物干し棒を引っ掛けるための引っ掛け部を有し、
前記連結棒は、ユーザによる所定の操作に応じて折れ曲がる折れ曲がり機構を有し、
前記折れ曲がり機構による前記連結棒の折れ曲がりに伴い、前記第１の支持ユニットと前記第２の支持ユニットとの間隔が短くなる
ハンガーラック
を備える請求項２に記載の物干し器具。
【請求項６】
第１の支持棒と、前記第１の支持棒を前記第１の支持棒の長手方向が床面に対し垂直上方向となる状態で支持する第１の支持脚とを有する第１の支持ユニットと、
第２の支持棒と、前記第２の支持棒を前記第２の支持棒の長手方向が床面に対し垂直上方向となる状態で支持する第２の支持脚とを有する第２の支持ユニットと、
前記第１の支持ユニットと前記第２の支持ユニットとを連結するとともに前記第１の支持ユニットと前記第２の支持ユニットとの間隔を所定の間隔に保つ棒状体である連結棒と
を備え、
前記第１の支持棒と前記第２の支持棒は前記物干し棒を引っ掛けるための引っ掛け部を有し、
前記連結棒は、ユーザによる所定の操作に応じて前記第１の支持ユニットおよび前記第２の支持ユニットの少なくとも一方との間の連結位置がスライドするスライド機構を有し、
前記スライド機構による前記連結位置のスライドに伴い、前記第１の支持ユニットと前記第２の支持ユニットとの間隔が短くなる
ハンガーラック
を備える請求項２に記載の物干し器具。
【請求項７】
前記第１の支持脚は前記第１の支持棒に取り付けられた２以上の棒状体であり、ユーザによる所定の操作に応じて、当該２以上の棒状体の各々が前記第１の支持棒から垂直外方向に延伸し前記第１の支持棒を支持する第１の状態と、当該２以上の棒状体の各々が前記第１の支持棒の長手方向に沿う方向に延伸し前記第１の支持棒を支持しない第２の状態との間を移行させることができる折り畳み機構を有し、
前記第２の支持脚は前記第２の支持棒に取り付けられた２以上の棒状体であり、ユーザによる所定の操作に応じて、当該２以上の棒状体の各々が前記第２の支持棒から垂直外方向に延伸し前記第２の支持棒を支持する第１の状態と、当該２以上の棒状体の各々が前記第２の支持棒の長手方向に沿う方向に延伸し前記第２の支持棒を支持しない第２の状態との間を移行させることができる折り畳み機構を有する
請求項５または６に記載の物干し器具。
【請求項８】
前記物干し棒は、少なくとも一部分が前記第２の筒の中に収納されておりユーザの前記第２の筒に対する引き出し操作もしくは押し込み操作に応じて前記第２の筒に収納される部分の長手方向の長さが変わることにより前記第２の筒に対して長手方向に伸縮自在である直線パイプ状の第３の筒を備える
請求項２乃至７のいずれかに記載の物干し器具。
【発明の詳細な説明】
【技術分野】
【０００１】
本発明は、いわゆる洗濯ものを干すための物干し器具に関する。
【背景技術】
【０００２】
物干し器具については、従来数多くのアイディアが提供されてきた。例えば、特許文献１に開示されている物干し棒は、寝具類を掛けた状態で持ち運び従来の物干し竿に吊り下げるものである。
また、特許文献２に開示されている物干し棒は、特許文献１に開示されているものと類似しているが、物干し棒の本体を屈曲させることを可能とすることによって、一連の作業を容易なものとしている。
また、特許文献３に開示されている物干し棒は、長手方向の長さを伸縮自在とすることによって、室内用物干し棒の取り外し作業を容易なものとしている。
また、特許文献４に開示されている物干し棒は、簡単な構造によって吊り下げる物の自重を利用して壁間に設置することを可能としている。
また、特許文献５に開示されている物干し棒は、弾性体およびボルトナット構造を利用して伸縮自在とし、室内に容易に固定できるものとしている。
【先行技術文献】
【特許文献】
【０００３】
【特許文献１】特開平９−２８５６９１
【特許文献２】特開２００３−２１０８９７
【特許文献３】特開２００７−５００１５
【特許文献４】特開２００９−２６１８５７
【特許文献５】実開平７−３９７９３
【発明の概要】
【発明が解決しようとする課題】
【０００４】
ところで、洗濯された衣類等を屋外の物干し竿に干す際や屋外に干され乾燥した衣類等を屋内に取り込む際に、屋外におけるそれらの作業の時間をできるだけ短くしたいというニーズがある。例えば冬場であれば寒く、夏場であれば暑いため、屋外にいる時間が短ければ短い程望ましい。また、紫外線等の有害な光線をできる限り浴びたくない、もしくは蚊などの虫に刺されたくない、といった理由からも、やはり屋外にいる時間を短縮したいものである。そのような事情に鑑み、本発明は、洗濯ものを干す作業および取り込む作業において屋外における作業時間を従来の方法と比べ短縮することを可能とする手段を提供することを目的とする。
【課題を解決するための手段】
【０００５】
本発明は、上記の目的に鑑みて想到されたものであり、
直線パイプ状の第１の筒と、少なくとも一部分が前記第１の筒の中に収納されておりユーザの前記第１の筒に対する引き出し操作もしくは押し込み操作に応じて前記第１の筒に収納される部分の長手方向の長さが変わることにより前記第１の筒に対して長手方向に伸縮自在である直線パイプ状の第２の筒とを備え、
（ａ）前記第１の筒の長手方向に垂直な方向に前記第１の筒の少なくとも１の側壁を貫通するように設けられ、前記第１の筒の長手方向に平行な直線上に設けられた複数の孔、（ｂ）前記第２の筒の長手方向に垂直な方向に前記第２の筒の少なくとも１の側壁を貫通するように設けられ、前記第２の筒の長手方向に平行な直線上に設けられた複数の孔、（ｃ）前記第１の筒の外側面の円周方向に設けられ前記第１の筒の長手方向に関し所定の間隔で設けられた２つの突起からなる突起対であって、前記第１の筒の長手方向に関し互いに間隔を開けて設けられた複数の突起対、（ｄ）前記第２の筒の外側面の円周方向に設けられた溝であって、前記第２の筒の長手方向に関し互いに間隔を開けて設けられた複数の溝、のうち少なくともいずれかを有する
物干し棒を提供する（第１の実施態様）。
【０００６】
また、上記の第１の実施態様において、
上記の第１の実施態様に記載の物干し棒と、
前記物干し棒とは異なる他の物干し棒を挟持するための挟持部と前記物干し棒を引っ掛けるための引っ掛け部とを有する引っ掛け具であって、前記挟持部が前記他の物干し棒を挟持した状態における前記引っ掛け具の前記引っ掛け部に前記物干し棒を引っ掛けることにより前記他の物干し棒に対し前記物干し棒を引っ掛けることを可能とする引っ掛け具と
を備える
構成を採用してもよい（第２の実施態様）。
【０００７】
また、上記の第２の実施態様において、
前記物干し棒は、ユーザによる所定の操作に応じて、前記物干し棒の長手方向外向きに付勢され前記物干し棒の２つの端部が互いに対向する２つの壁面の各々を押圧することにより前記２つの壁面に対し固定された第１の状態と、前記付勢が解除された第２の状態との間を移行させることができる付勢機構を有する
構成を採用してもよい（第３の実施態様）。
【０００８】
また、上記の第３の実施態様において、
前記付勢機構は、前記物干し棒の一方の端部に配置され前記２つの壁面の一方に押圧される押圧部と、前記押圧部を前記物干し棒の長手方向外向きに付勢するバネと、ユーザによる前記物干し棒の長手方向の軸を中心とした前記第１の筒に対する前記第２の筒を捩じる操作に応じて前記物干し棒の長手方向の長さが伸縮するように前記第１の筒の内側面上および前記第２の筒の外側面上に各々設けられ互いに係合する１対のネジ山とを有する
構成を採用してもよい（第４の実施態様）。
【０００９】
また、上記の第２の実施態様において、
第１の支持棒と、前記第１の支持棒を前記第１の支持棒の長手方向が床面に対し垂直上方向となる状態で支持する第１の支持脚とを有する第１の支持ユニットと、
第２の支持棒と、前記第２の支持棒を前記第２の支持棒の長手方向が床面に対し垂直上方向となる状態で支持する第２の支持脚とを有する第２の支持ユニットと、
前記第１の支持ユニットと前記第２の支持ユニットとを連結するとともに前記第１の支持ユニットと前記第２の支持ユニットとの間隔を所定の間隔に保つ棒状体である連結棒と
を備え、
前記第１の支持棒と前記第２の支持棒は前記物干し棒を引っ掛けるための引っ掛け部を有し、
前記連結棒は、ユーザによる所定の操作に応じて折れ曲がる折れ曲がり機構を有し、
前記折れ曲がり機構による前記連結棒の折れ曲がりに伴い、前記第１の支持ユニットと前記第２の支持ユニットとの間隔が短くなる
ハンガーラック
を備える構成を採用してもよい（第５の実施態様）。
【００１０】
また、上記の第２の実施態様において、
第１の支持棒と、前記第１の支持棒を前記第１の支持棒の長手方向が床面に対し垂直上方向となる状態で支持する第１の支持脚とを有する第１の支持ユニットと、
第２の支持棒と、前記第２の支持棒を前記第２の支持棒の長手方向が床面に対し垂直上方向となる状態で支持する第２の支持脚とを有する第２の支持ユニットと、
前記第１の支持ユニットと前記第２の支持ユニットとを連結するとともに前記第１の支持ユニットと前記第２の支持ユニットとの間隔を所定の間隔に保つ棒状体である連結棒と
を備え、
前記第１の支持棒と前記第２の支持棒は前記物干し棒を引っ掛けるための引っ掛け部を有し、
前記連結棒は、ユーザによる所定の操作に応じて前記第１の支持ユニットおよび前記第２の支持ユニットの少なくとも一方との間の連結位置がスライドするスライド機構を有し、
前記スライド機構による前記連結位置のスライドに伴い、前記第１の支持ユニットと前記第２の支持ユニットとの間隔が短くなる
ハンガーラック
を備える構成を採用してもよい（第６の実施態様）。
【００１１】
また、上記の第５または６の実施態様において、
前記第１の支持脚は前記第１の支持棒に取り付けられた２以上の棒状体であり、ユーザによる所定の操作に応じて、当該２以上の棒状体の各々が前記第１の支持棒から垂直外方向に延伸し前記第１の支持棒を支持する第１の状態と、当該２以上の棒状体の各々が前記第１の支持棒の長手方向に沿う方向に延伸し前記第１の支持棒を支持しない第２の状態との間を移行させることができる折り畳み機構を有し、
前記第２の支持脚は前記第２の支持棒に取り付けられた２以上の棒状体であり、ユーザによる所定の操作に応じて、当該２以上の棒状体の各々が前記第２の支持棒から垂直外方向に延伸し前記第２の支持棒を支持する第１の状態と、当該２以上の棒状体の各々が前記第２の支持棒の長手方向に沿う方向に延伸し前記第２の支持棒を支持しない第２の状態との間を移行させることができる折り畳み機構を有する
構成を採用してもよい（第７の実施態様）。
【００１２】
また、上記の第２乃至７のいずれかの実施態様において、
前記物干し棒は、少なくとも一部分が前記第２の筒の中に収納されておりユーザの前記第２の筒に対する引き出し操作もしくは押し込み操作に応じて前記第２の筒に収納される部分の長手方向の長さが変わることにより前記第２の筒に対して長手方向に伸縮自在である直線パイプ状の第３の筒を備える
構成を採用してもよい（第８の実施態様）。
【発明の効果】
【００１３】
本発明の第１の実施態様によれば、例えば室内においてハンガー等にかけた洗濯ものを物干し棒にかける作業を行い、洗濯もののかけられた物干し棒を室内から屋外へ運ぶことにより、屋外において洗濯ものを物干し竿にかける作業を行う場合と比較し、屋外における作業時間を著しく短縮することができる。その際、物干し棒にハンガー等をかけるための孔もしくは溝が設けられているため、物干し棒を運ぶ際にかかっている洗濯ものが滑って物干し棒の片側に集まり、洗濯ものの乾きが悪くなるといった不都合が生じない。また、屋外において乾燥した洗濯ものを室内に取り込む際にも、物干し棒にかけられたままの洗濯ものを物干し棒ごと室内に運べばよいため、同じく屋外における作業時間を著しく短縮することができる。
【００１４】
また、本発明の第２の実施態様によれば、予め屋外の物干し竿を引っ掛け具の挟持部で挟持させることにより当該引っ掛け具を物干し竿に例えば左右間隔を開けて２個セットしておき、洗濯ものをかけた状態の上述の物干し棒の端部を当該２個の引っ掛け具の引っ掛け部に各々引っ掛けることにより、洗濯ものを屋外に干す作業をスムーズに行うことが可能となる。
【００１５】
また、本発明の第３の実施態様によれば、物干し棒の長手方向の突っ張りにより、例えば対向する２つの壁面の間に当該物干し棒を容易かつ安定的に固定させることができるとともに、当該物干し棒を当該２つの壁面から容易に取り外すこともできる。
【００１６】
また、本発明の第４の実施態様によれば、上述の物干し棒の長手方向の突っ張りのオン・オフを容易に行うことができる。
【００１７】
また、本発明の第５の実施態様によれば、例えば室内の適当な場所に対向する２つの壁面がなく、上述の第３もしくは第４の実施態様にかかる突っ張り機構を備えた物干し棒により壁面間に突っ張り棒の固定を行うことができない場合であっても、ハンガーラックの引っ掛け部に物干し棒を引っ掛けた状態で洗濯ものを当該物干し棒にかける作業を行うことが可能となる。このように、洗濯ものを物干し棒にかける間のみ使用するハンガーラックはそれ以外の間は不要であるが、本発明にかかるハンガーラックは折り畳むことができるので、不使用時にもさほど邪魔にならない。
【００１８】
本発明の第６の実施態様によれば、スライド機構によって上述のハンガーラックの折り畳みが実現される。
【００１９】
本発明の第７の実施態様によれば、支持脚の折り畳みによって上述のハンガーラックの折り畳みが実現される。
【００２０】
また、本発明の第８の実施態様によれば、第３の筒を第２の筒内に押し込むことにより、第３の筒を持たない実施態様のものと比べ、不使用時の長さを短くすることができる。
【図面の簡単な説明】
【００２１】
【図１】図１は、本発明の一実施例にかかる物干し器具の概略を表す断面図である。
【図２】図２は、本発明の一実施例にかかる物干し棒の不使用状態の概略を表す断面図である。
【図３】図３は、本発明の一実施例にかかる引っ掛け具を正面から見た外観の概略を示す図である。
【図４】図４は、本発明の一実施例にかかる物干し器具の概略図である。
【図５】図５は、本発明の一実施例にかかるハンガーラックの仕組みの概略を示す図である。
【図６】図６は、本発明の一変形例にかかるハンガーラックの仕組みの概略を示す図である。
【発明を実施するための形態】
【００２２】
（実施形態１）
以下、本発明の一具体例である実施形態を、図面を用いて説明する。図１は、本実施形態にかかる物干し器具１の概略を表す断面図である。
【００２３】
物干し器具１は、物干し棒１１と、引っ掛け具１２とを備える。
【００２４】
物干し棒１１は、第１の筒１１１と、第２の筒１１２と、付勢機構１１３とを有する。
【００２５】
第１の筒１１１および第２の筒１１２は、直線パイプ状の形状を有しており、例えばステンレス製である。第１の筒１１１を長手方向と垂直な平面で切った場合の断面は、例えば、円形リング状の形状であり、当該円形リングの外径は約４センチメートルである。また、第２の筒１１２を長手方向と垂直な平面で切った場合の断面は、例えば、円形リング状の形状であり、当該円形リングの外径は約３．５センチメートルである。
【００２６】
また、第１の筒１１１の長手方向の長さは、例えば約５０センチメートルであり、第２の筒１１２の長手方向の長さは、例えば約３０センチメートルである。
【００２７】
第１の筒１１１は、個数が１つであり物干し棒１１の中心部分を構成する。
【００２８】
第１の筒１１１の外側面上には、円周方向に一周するリング状の突起が第１の筒１１１の長手方向に関し所定の間隔（例えば約１センチメートル）を開けて２個並んで１対をなした突起対１１１１が複数対、設けられている。それらの複数対の突起対１１１１は、第１の筒１１１の長手方向に関し所定の間隔（例えば約１０センチメートル）を開けて配置されている。
【００２９】
より具体的には、例えば、１つの突起対１１１１は、２つの合成樹脂製のリングを第１の筒１１１の外側面上の所望の位置に嵌めて固定したものである。
【００３０】
突起対１１１１は、それらの２つのリングの間に生じる凹み部分に、例えばハンガーのＳ字状フック部等を引っ掛けてやることにより、それらのハンガー等の物干し棒１１に対する位置決めを行う役割を果たす。すなわち、突起対１１１１の間の凹み部分にかけられたハンガー等は、物干し棒１１が移動中等に傾いても物干し棒１１上を滑り移動することがない。
【００３１】
第２の筒１１２は、例えば個数が２つであり、第２の筒１１２の各々は、第１の筒１１１の一方の端部の開口部から長手方向に挿入されて、第１の筒１１１と係合されている。以下の説明において、２つの第２の筒１１２の各々を区別する必要がある場合、それらを第２の筒１１２Ｌ（図１における左側の第２の筒１１２）および第２の筒１１２Ｒ（図１における右側の第２の筒１１２）のように呼ぶ。
【００３２】
第２の筒１１２の外側面上には、円周方向に一周するリング状の複数の溝Ｍが第２の筒１１２の長手方向に関し互いに所定の間隔（例えば約１０センチメートル）を開けて配置されている。
【００３３】
溝Ｍは、例えばハンガーのＳ字状フック部等をその位置に引っ掛けてやることにより、それらのハンガー等の物干し棒１１に対する位置決めを行う役割を果たす。すなわち、溝Ｍの位置にかけられたハンガー等は、物干し棒１１が移動中等に傾いても物干し棒１１上を滑り移動することがない。
【００３４】
第２の筒１１２の各々は、少なくとも一部分が第１の筒１１１の中に収納されており、ユーザの第１の筒１１１に対する引き出し操作もしくは押し込み操作に応じて、第１の筒１１１に収納される部分の長手方向の長さが変わることにより、第１の筒１１１に対して長手方向に伸縮自在である。
【００３５】
物干し棒１１は、ユーザが物干し棒を例えば室内の互いに対向する２つの壁面Ｗ間に固定させるための付勢機構１１３を備えている。付勢機構１１３により、ユーザは所定の操作を行って、物干し棒１１を長手方向外向きに付勢させその２つの端部を互いに対向する２つの壁面Ｗの各々に押圧させることにより物干し棒１１をそれらの壁面Ｗ間に固定したり（第１の状態）と、当該付勢を解除してそれらの壁面Ｗ間に固定されている物干し棒１１を取り外したり（第２の状態）することができる。
【００３６】
付勢機構１１３は、物干し棒１１の一方の端部に配置され、２つの壁面Ｗの一方に押圧される押圧部１１３１と、押圧部１１３１を物干し棒１１の長手方向外向きに付勢するバネ１１３２と、第１の筒１１１の内側面上および第２の筒１１２の外側面上に各々設けられて互いに係合する１対のネジ山１１３３とを有する。これら１対のネジ山１１３３は、ユーザによる物干し棒１１の長手方向の軸を中心とした第２の筒１１２の第１の筒１１１に対する捩じる操作に応じて、物干し棒１１の長手方向の長さを伸縮する役割を果たす。
【００３７】
より具体的には、第２の筒１１２Ｌの一方の端部にはコイル式のバネ１１３２が設けられ、バネ１１３２における２つの壁面Ｗのうちの近い方の側には略円盤状の押圧部１１３１が固着されている。また、第２の筒１１２Ｌにおける他方の端部付近、すなわち第１の筒１１１と係合する側の外側面上にはネジ山１１３３の一部分を構成する雄ネジが切られている。例えば、当該雄ネジは、第２の筒１１２Ｌの一端部付近の長手方向に約１２センチメートルの領域において切られている。
【００３８】
そして、第２の筒１１２Ｒの一方の端部には付勢機構１１３、すなわちバネ１１３２は設けられていないが、当該一方の端部には２つの壁面Ｗのうちの近い方の側の壁面と接触する押圧部１１３１が設けられ、第２の筒１１２Ｒの他方の端部付近、すなわち第１の筒１１１と係合する側の外側面上にはネジ山１１３３の一部分を構成する雄ネジが切られている。例えば、当該雄ネジは、第２の筒１１２Ｒの一端部付近の長手方向に約１２センチメートルの領域において切られている。
【００３９】
なお、押圧部１１３１は、例えば合成樹脂製である。
【００４０】
また、第１の筒１１１の長手方向の両端部付近の内側面上には各々、ネジ山１１３３の一部分を構成する雌ネジが切られている。例えば、当該雌ネジは各々、第１の筒１１１の一端部付近の長手方向に約１２センチメートルの領域において切られている。
【００４１】
ネジ山１１３３を構成する上述の雄ネジと雌ネジとが噛み合うことによって、付勢機構１１３が機能する。すなわち、例えばユーザが右手で第１の筒１１１を掴んだ状態で左手で第２の筒１１２Ｌを掴んで捩じると、ネジ山１１３３における雄ネジが雌ネジに沿って螺旋状に移動し、その捩る方向に応じて物干し棒１１の長手方向の長さが伸張もしくは短縮する。これにより、ユーザは容易に上述の第１の状態（固定状態）と第２の状態（取り外し状態）との間を移行させることができる。
【００４２】
引っ掛け具１２は、物干し棒１１とは異なる他の物干し棒Ｂを挟持する挟持部１２１と、物干し棒１１を引っ掛けるための引っ掛け部１２２とを有する。他の物干し棒Ｂは、例えばベランダ等の屋外に配置された物干し竿等である。図３は、引っ掛け具１２を正面から見た場合の概略を示した図である。
【００４３】
引っ掛け具１２は、挟持部１２１が他の物干し棒Ｂを挟持することにより、他の物干し棒Ｂに自身を固定する。そのように他の物干し棒Ｂに固定された状態において、引っ掛け具１２の引っ掛け部１２２に物干し棒１１を引っ掛けることができる。その結果、ユーザは他の物干し棒Ｂに対し物干し棒１１を引っ掛けることが可能となる。なお、引っ掛け具１２は、２つ１対により物干し棒１１を掛止可能であるが、例えば１本の物干し棒１１を掛止するために３つ以上の引っ掛け具１２が使用されてもよい。
【００４４】
挟持部１２１は、例えば、洗濯バサミの鋏の部分と同様の構造を有しており、引っ掛け部１２２は、例えば、金属製のＳ字状のフックである。
【００４５】
以上のように構成される本実施形態にかかる物干し器具１の使用方法の一例を以下に説明する。
【００４６】
物干し棒１１は、通常、使用しない状態では、図２に示されるように、第２の筒１１２が第１の筒１１１に略完全に収納されており、短くて邪魔にならない。
【００４７】
洗濯が完了すると、ユーザは濡れた洗濯ものをとりあえず室内において物干し棒１１にかける作業を行う。そのため、ユーザは物干し棒１１を洗濯機付近の対向する２つの壁面Ｗに固定させる操作を行う。具体的には、先ず２つの第２の筒１１２を両方とも第１の筒１１１の中から引き出して、ネジ山１１３３を構成する雌ネジと雄ネジとを噛み合わせながら第１の筒１１１に対し第２の筒１１２を捩じり、物干し棒１１の全長を適当な長さにセットする（上述の第２の状態）。この場合、適当な長さとは、例えば２つの壁面Ｗ間の距離より１センチメートル程度短い長さである。続いて、物干し棒１１を２つの壁面Ｗの間に持って行き、第２の筒１１２を第１の筒１１１に対してさらに同じ向きに捩じることで、物干し棒１１の全長を伸張させる。その結果、付勢機構１１３が働き、物干し棒１１の押圧部１１３１が２つの壁面Ｗを各々押圧することによって、物干し棒１１が２つの壁面Ｗに固定される（上述の第１の状態）。
【００４８】
なお、上述の第１の状態における物干し棒１１の長手方向の全長の長さは、例えば、約８０センチメートルから約９０センチメートルの範囲内に入るが、本発明はこれに限られるものではない。
【００４９】
上記のように物干し棒１１を壁面Ｗ間に固定すると、ユーザは洗濯が完了し濡れた状態の洗濯ものをハンガーやハンガーピンチ等に掛けて、それらのハンガー等のＳ字状のフックを突起対１１１１の間の凹み部もしくは溝Ｍの位置に引っ掛ける。
【００５０】
上記のように洗濯ものを物干し棒１１にかける作業が完了すると、ユーザは第２の筒１１２を第１の筒１１１に対して先ほどとは逆向きに捩じって、物干し棒１１の全長を短縮する。これにより、付勢機構１１３による付勢が解除され（上述の第２の状態）、ユーザは物干し棒１１を壁面Ｗ間から取り外すことができるようになる。
【００５１】
この状態でユーザは、洗濯ものがかかった状態の物干し棒１１を壁面Ｗ間から取り外し、屋外に運び出し、他の物干し棒Ｂにセットされた状態の引っ掛け具１２（上述）の引っ掛け部１２２に物干し棒１１を引っ掛ける。これにより、洗濯ものを屋外に干す作業が完了する。
【００５２】
その後、洗濯ものが乾燥したら、ユーザは洗濯ものがかかった状態の物干し棒１１を引っ掛け具１２から取り外し、室内に運び込む。その後、室内において物干し棒１１からハンガー等を取り外す作業を行う。
【００５３】
以上のように、物干し器具１によれば、洗濯ものを屋外に干すために屋外において必要な作業は物干し棒１１を引っ掛け具１２にかける作業のみである。また、物干し器具１によれば、乾いた洗濯ものを室内に取り込むために屋外において必要な作業は物干し棒１１を引っ掛け具１２から取り外す作業のみである。従って、洗濯ものを干したり取り込んだりする際に、従来の方法による場合と比較し、屋外で寒さや暑さに耐えながら作業をしたり、紫外線や蚊などの攻撃を受けながら作業をしたりする時間を著しく短縮することができ、便利である。また、ひさしのないベランダに洗濯ものを干している時に急に雨が降り始めた場合などのように、洗濯ものを急いで取り込む必要が生じた場合であっても、物干し器具１によれば、速やかな取り込みを行うことができ、便利である。
【００５４】
（実施形態２）
以下、上述した実施形態１とは異なる本発明にかかる実施形態について、図面を用いて説明する。なお、以下の説明においては上述した実施形態１と異なる部分を中心に記述する。
【００５５】
図４は、本実施形態にかかる物干し器具２の概略図である。
【００５６】
物干し器具２は、物干し棒２１と、引っ掛け具２２と、ハンガーラック２３とを備える。
【００５７】
物干し棒２１は、第１の筒２１１と、第２の筒２１２とを有し、いわゆる上述したような付勢するための機構（付勢機構１１３）は有していない。ただし、上述のネジ山１１３３と同様のネジ山を有しており、物干し棒２１を長手方向に短くすることが可能で、収納時に便利である。
【００５８】
物干し棒２１は、洗濯機の付近にちょうどよい間隔で対向する２つの壁面Ｗがない場合において、物干し棒１１の代わりにハンガーラック２３とともに用いられる。すなわち、上述したように物干し棒２１は付勢機構を有さず、対向する２つの壁面Ｗ等に固定されることはないが、以下に説明するハンガーラック２３の上に載置された状態で、室内においてユーザにより引っ掛けられる洗濯ものを保持する。
【００５９】
ハンガーラック２３は、第１の支持ユニット２３１と、第２の支持ユニット２３２と、連結棒２３３とを有する。
【００６０】
第１の支持ユニット２３１は、第１の支持棒２３１１と、第１の支持棒２３１１を第１の支持棒２３１１の長手方向が床面に対し垂直方向となる状態で支持する第１の支持脚２３１２とを有している。
【００６１】
第２の支持ユニット２３２は、第２の支持棒２３２１と、第２の支持棒２３２１を第２の支持棒２３２１の長手方向が床面に対し垂直方向となる状態で支持する第２の支持脚２３２２とを有している。
【００６２】
第１の支持棒２３１１、第１の支持脚２３１２、第２の支持棒２３２１、および第２の支持脚２３２２は、例えば各々ステンレス製である。また、第１の支持棒２３１１、第１の支持脚２３１２、第２の支持棒２３２１、および第２の支持脚２３２２を長手方向に垂直な平面で切った場合の断面は、例えば略矩形である。
【００６３】
第１の支持棒２３１１および第２の支持棒２３２１の長手方向の長さは、例えば約１００センチメートルであり、第１の支持脚２３１２および第２の支持脚２３２２の長手方向の長さは、例えば約５０センチメートルである。
【００６４】
第１の支持棒２３１１および第２の支持棒２３２１の一端は、例えば、各々第１の支持脚２３１２および第２の支持脚２３２２の長手方向の中心付近に取り付けられている。また、例えば、第１の支持脚２３１２および第２の支持脚２３２２における床面に対向する位置に複数のコロを設けて、ハンガーラック２３の移動を容易にするようにしてもよい。
【００６５】
第１の支持棒２３１１および第２の支持棒２３２１は、各々物干し棒２１を引っ掛ける、すなわち物干し棒２１の両端付近を載置して物干し棒２１を床面方向から支持するための引っ掛け部２３１１１、２３２１１を有している。
【００６６】
引っ掛け部２３１１１、２３２１１の形状は、例えば、Ｕ字状であり、Ｕの底の部分が第１の支持棒２３１１および第２の支持棒２３２１の上端部に各々溶接によって固着されている。
【００６７】
連結棒２３３は、第１の支持ユニット２３１と第２の支持ユニット２３２とを連結するとともに第１の支持ユニット２３１と第２の支持ユニット２３２との間隔を所定の間隔に保つ棒状体である。
【００６８】
連結棒２３３は、例えば、ステンレス製であり、長手方向の長さが約８０センチメートルである。また、連結棒２３３は、ハンガーラック２３が用いられる際に、例えば、床面から測って約２０センチメートルの高さの位置において、第１の支持棒２３１１および第２の支持棒２３２１の側面に取り付けられている。
【００６９】
連結棒２３３は、ユーザによる所定の操作に応じて折れ曲がる折れ曲がり機構を有し、当該折れ曲がり機構による連結棒２３３の折れ曲がりに伴い、第１の支持ユニット２３１と第２の支持ユニット２３２との間隔が短くなる。その結果、第１の支持ユニット２３１と第２の支持ユニット２３２が寄り添う状態となり、ハンガーラック２３全体のサイズがコンパクトになる。そのため、不使用時のハンガーラック２３の収納が容易になる。
【００７０】
図５は、連結棒２３３を半ば折り畳んだ状態のハンガーラック２３の概略を示した図である。図５に示されるように、連結棒２３３は第１の支持棒２３１１および第２の支持棒２３２１の長手方向を含む平面内において折れ曲がるように、その中心付近の点ａにおいて回動可能に連結された２本の棒状体である棒２３３１および棒２３３２により構成されている。棒２３３１は第１の支持棒２３１１と点ｂにおいて回動可能に連結されている。同様に、棒２３３２は第２の支持棒２３２１と点ｃにおいて回動可能に連結されている。
【００７１】
棒２３３１は第１の支持棒２３１１に対し垂直（すなわち、棒２３３１が水平）の位置からさらに下に下がらない機構となっている。同様に、棒２３３２は第２の支持棒２３２１に対し垂直（すなわち、棒２３３２が水平）の位置からさらに下に下がらない機構となっている。また、棒２３３１と棒２３３２の連結部において、点ａが点ｂおよび点ｃより下に下がらない機構となっている。その結果、使用状態のハンガーラック２３において、連結棒２３３は水平位置を維持する。
【００７２】
なお、使用状態において連結棒２３３が伸びた状態を維持するためのラッチ機構や、不使用状態において連結棒２３３が折れ曲がった状態を維持するためのラッチ機構を連結棒２３３もしくは第１の支持棒２３１１または第２の支持棒２３２１に設けてもよい。
【００７３】
また、第１の支持脚２３１２は、第１の支持棒２３１１に回動可能に取り付けられた２つの棒状体により構成されている。ユーザは所定の操作を行うことにより、これらの２つの棒状体の各々を第１の支持棒２３１１から垂直外側反対方向に延伸するように開き、第１の支持棒２３１１を支持する状態（第１の状態、使用状態）にしたり、２つの棒状体の各々を第１の支持棒２３１１に寄り沿うように折り畳み、第１の支持棒２３１１を支持しない状態（第２の状態、不使用状態）にしたりすることができる。この機構を、以下「折り畳み機構」と呼ぶ。
【００７４】
同様に、第２の支持脚２３２２は、第２の支持棒２３２１に回動可能に取り付けられた２つの棒状体により構成されている。ユーザは所定の操作を行うことにより、これらの２つの棒状体の各々を第２の支持棒２３２１から垂直外側反対方向に延伸するように開き、第２の支持棒２３２１を支持する状態（第１の状態、使用状態）にしたり、２つの棒状体の各々を第２の支持棒２３２１に寄り沿うように折り畳み、第２の支持棒２３２１を支持しない状態（第２の状態、不使用状態）にしたりすることができる。
【００７５】
より具体的には、床面に対向するように上側から下側を見下ろすように見た場合、上述の第１の状態では、第１の支持脚２３１２および第２の支持脚２３２２は、例えば、連結棒２３３と垂直に（もしくはＴ字状に）交わるように配置されている。そして、第１の支持脚２３１２および第２の支持脚２３２２を構成する各々の２つの棒状体が、第１の支持棒２３１１および第２の支持棒２３２１と第１の支持脚２３１２および第２の支持脚２３２２とが連結する部分の近くにある２つの点を中心として、第１の支持棒２３１１および第１の支持脚２３１２が存在する平面もしくは第２の支持棒２３２１および第２の支持脚２３２２が存在する平面内において折れ曲がるように回転することが可能となっている。その回転動作によって、ハンガーラック２３を通常の使用状態である第１の状態と、コンパクトに折り畳んで邪魔にならない第２の状態との間が移行可能となっている。
【００７６】
第１の支持棒２３１１と第１の支持脚２３１２との連結部には、第１の支持脚２３１２を構成する２つの棒状体が第１の状態（使用状態）において第１の支持棒２３１１に対し垂直位置を維持するためのラッチ機構が設けられている。すなわち、当該ラッチ機構により第１の支持脚２３１２が第１の支持棒２３１１に対し垂直位置で固定されるため、第１の支持脚２３１２が床面に対し垂直に起立した状態の第１の支持棒２３１１を支持することができる。ユーザが当該ラッチ機構を解除する所定の操作を行うと、第１の支持脚２３１２の折り畳みが可能となる。第２の支持棒２３２１と第２の支持脚２３２２との連結部にも、同様のラッチ機構が設けられている。
【００７７】
なお、第１の支持棒２３１１と第１の支持脚２３１２との連結部、および第２の支持棒２３２１と第２の支持脚２３２２との連結部に、折り畳んだ状態（第２の状態、不使用状態）を維持するためのラッチ機構をさらに設けるようにしてもよい。
【００７８】
以上のようにして構成される本実施形態にかかる物干し器具２の使用方法の一例を以下に説明する。
【００７９】
洗濯が完了し濡れた洗濯ものをとりあえず室内で物干し棒２１に引っ掛ける作業を行うにあたり、まずユーザは折り畳んでいたハンガーラック２３のセットを行う。具体的には、折り畳んでいた第１の支持脚２３１２および第２の支持脚２３２２を第１の支持棒２３１１および第２の支持棒２３２１に対し垂直状態となるように開き、ラッチ機構によりそれらを固定する。またユーザは、互いに寄り添った状態の第１の支持棒２３１１および第２の支持棒２３２１を引き離すように左右に開く。それに伴い、折れ曲がっていた連結棒２３３が伸びて一本の棒状体となる。
【００８０】
上記のようにハンガーラック２３を使用状態にセットした後、ユーザは物干し棒２１をハンガーラック２３の引っ掛け部２３１１１、２３２１１の上に載せ置く。その状態で、洗濯ものをハンガー等に掛けて、そのハンガー等のＳ字状のフックを突起対１１１１の間の凹み部もしくは溝Ｍの位置に引っ掛ける。
【００８１】
物干し棒２１に対し洗濯ものを掛ける作業が完了すると、ユーザは洗濯ものの掛かった状態の物干し棒２１をハンガーラック２３の引っ掛け部２３１１１、２３２１１から上に持ち上げ取り外し、屋外に運び出して他の物干し棒Ｂに予めセットしておいた引っ掛け具１２の引っ掛け部１２２に引っ掛ける。
【００８２】
以上説明したように、物干し器具２によれば、室内の適当な位置に互いに対向する２つの壁面Ｗがない場合であっても、物干し器具１と同様の効果を得ることができる。その際、物干し器具１では不要であったハンガーラック２３を用いる必要があるが、ハンガーラック２３は不使用時にコンパクトに折り畳むことができるため、邪魔にならない。
【００８３】
（変形例）
上述した実施形態は、本発明の技術的思想の範囲内で様々に変形が可能である。
【００８４】
例えば、物干し棒１１および物干し棒２１は各々、第２の筒１１２もしくは第２の筒２１２を２つ有するものとしたが、１つのみを有する構成が採用されてもよい。
【００８５】
また物干し棒１１、２１は、少なくとも一部分が第２の筒１１２、２１２の中に収納されており、ユーザの第２の筒１１２、２１２に対する引き出し操作もしくは押し込み操作に応じて第２の筒１１２、２１２に収納される部分の長手方向の長さが変わることにより第２の筒１１２、２１２に対して長手方向に伸縮自在である直線パイプ状の第３の筒を備えてもよい。その場合、２つある第２の筒１１２もしくは２１２のいずれか一方にのみ収納される１本の第３の筒が設けられる構成と、２つある第２の筒１１２もしくは２１２の両方に各々収納される２本の第３の筒が設けられる構成のいずれが採用されてもよい。
【００８６】
また、第１の筒１１１の外側面の円周方向には突起対１１１１が設けられ、第２の筒１１２の外側面の円周方向には溝Ｍが設けられるものとしたが、それらの代わりに、もしくはそれらに加えて、例えばハンガーのＳ字状フック等を引っ掛けてやることが可能な孔を複数設けてもよい。
【００８７】
より具体的には、第１の筒１１１、２１１の長手方向に垂直な方向に第１の筒１１１、２１１の少なくとも１の側壁を貫通するように、第１の筒１１１、２１１の長手方向に平行な直線上に等間隔（例えば約１０センチメートル）に複数の孔を設ける。もしくは、第２の筒１１２、２１２の長手方向に垂直な方向に第２の筒１１２、２１１の少なくとも１の側壁を貫通するように、第２の筒１１２，２１２の長手方向に平行な直線上に等間隔（例えば約１０センチメートル）に複数の孔を設ける。これらの孔にハンガー等を引っ掛けることにより、それらのハンガー等が物干し棒１１、２１の運搬中に物干し棒１１、２１の上を滑って、それらの位置がずれることが回避される。
【００８８】
また、付勢機構１１３は、押圧部１１３１とバネ１１３２とネジ山１１３３とを有するものとしたが、他のいかなる構造によって付勢が行われてもよい。
【００８９】
引っ掛け部２３１１１、２３２１１の形状は、例えば、Ｕ字状であり、Ｕの底の部分が第１の支持棒２３１１および第２の支持棒２３２１の両端部に各々溶接によって固着されるものとしたが、Ｕ字状の形状はいかなる形状によって代替されてもよく、また溶接以外のいかなる方法によって固着されていてもよい。
【００９０】
また、物干し器具１、２に関して上述された物干し器具１、２の各要素を特定する形状、数値、および材料は、あくまでも一例であって他のいかなる形状、数値、もしくは材料が用いられてもよい。
【００９１】
また、ハンガーラック２３が上述の折れ曲がり機構の代わりに以下に説明するスライド機構を備えるようにしてもよい。すなわち、上述の実施形態２において、ユーザによる所定の操作に応じて、連結棒２３３と第１の支持ユニット２３１の連結部および連結棒２３３と第２の支持ユニット２３２の連結部の少なくとも一方の連結位置が上下方向にスライドするスライド機構を備えるようにハンガーラック２３を構成してもよい。図６は、そのような機構を備えるハンガーラック２３の仕組みの概略を示した図である。図６に示した例によれば、スライド機構により連結棒２３３と第２の支持棒２３２１との連結位置（点ｃ）が上にスライドすることに伴い、第１の支持ユニット２３１と第２の支持ユニット２３２との間隔が短くなり、最終的にはそれらが互いに寄り添う形となる。これによっても、ハンガーラック２３の不使用状態における収納が容易になる。
【００９２】
また、上述した折れ曲がり機構、折り畳み機構、およびスライド機構に関する形状、大きさ、および構造に関する説明はあくまでも一例であり、それらは他のいかなる形状、大きさ、および構造によって代替されてもよい。例えば、第１の支持脚２３１２および第２の支持脚２３２２は、それぞれ第１の支持棒２３１１および第２の支持棒２３２１に取り付けられた２つの棒状体であるとしたが、３つの棒状体もしくは４つの棒状体によって構成されてもよい。
【００９３】
また、上述した実施形態にかかる物干し器具１、２の使用方法はあくまでも一例であり、他のいかなる方法によって使用されてもよい。
【産業上の利用可能性】
【００９４】
本発明にかかる物干し器具は、室内および屋外での物干しにおいて両者の間で洗濯ものを容易に移動させることができるとともに、収納が容易な形状にすることができるので、多くの家庭等で利用されることが期待される。そのため、本発明はいわゆる製造業や小売等のサービス業において利用可能である。
【符号の説明】
【００９５】
１…物干し器具、１１…物干し棒、１１１…第１の筒、１１１１…突起対、１１２…第２の筒、１１３…付勢機構、１１３１…押圧部、１１３２…バネ、１１３３…ネジ山、１２…引っ掛け具、１２１…挟持部、１２２…引っ掛け部、２…物干し器具、２１…物干し棒、２１１…第１の筒、２１２…第２の筒、２２…引っ掛け具、２３…ハンガーラック、２３１…第１の支持ユニット、２３１１…第１の支持棒、２３１１１…引っ掛け部、２３１２…第１の支持脚、２３２…第２の支持ユニット、２３２１…第２の支持棒、２３２１１…引っ掛け部、２３２２…第２の支持脚、２３３…連結棒、２３３１…棒、２３３２…棒
【図１】
2012115282.tif 000003
【図２】
2012115282.tif 000004
【図３】
2012115282.tif 000005
【図４】
2012115282.tif 000006
【図５】
2012115282.tif 000007
【図６】
2012115282.tif 000008